(57)【要約】【課題】カーテン生地を利用して既製ブラインドを簡単にスタイルカーテンに変えてしまうことに用いるのに適した簡易シェードカーテン生地を提供するものである。【解決手段】（１）ブラインド頭部１と羽根２にマジックテープ（登録商標）（以下マジックテープという）３を備え、布、ビニール又は紙のカーテン生地４にマジックテープ３を備え、このカーテン生地にフック９又は係止ひも１０を備え、このカーテン生地をブラインド頭部１と羽根２に係止可能にし、ブラインド本体５に取付けて用いる。（２）マジックテープ３を備えたカーテン生地４は、重ね合わせ可能とする。【選択図】なし【実用新案登録請求の範囲】
【請求項１】
ブラインド頭部と羽根にマジックテープ（登録商標）を備え、布、ビニール又は紙のカーテン生地にマジックテープ（登録商標）を備え、このカーテン生地にフック又は係止ひもを備え、このカーテン生地をブラインド頭部と羽根に係止可能にし、ブラインドに取付けて用いる簡易シェードカーテン生地。
【請求項２】
マジックテープ（登録商標）を備えたカーテン生地は、重ね合わせ可能とした請求項１記載の簡易シェードカーテン生地。
【考案の詳細な説明】
【技術分野】
【０００１】この考案は、既製ブラインドを簡単にスタイルカーテンに変えてしまうことに用いるのに適した簡易シェードカーテン生地に関するものである。
【背景技術】
【０００２】一般的に、インテリアの窓周りには、光の調節や断熱、遮音のため、窓に付けてスラット（以下羽根という）の操作によって開閉し、光を調節する覆いと言われているブラインド（以下ブラインドという）や開閉し、遮光性や光の採り入れ、断熱、遮音や間仕切りに用いられ、布地を縫い合わせた窓装飾と言われているカーテン（以下カーテンという）が用いられている。個々に、ブラインド、カーテン、スタイルカーテンとして用いられていたため、既製ブラインドを簡単に変えてしまうことはしていなかった。
【考案の開示】
【考案が解決しようとする課題】
【０００３】前述のように、アルミ製ブラインドを簡単にスタイルカーテンに変化させてしまうことはしていなかった。そこで、カーテン生地を利用して既製ブラインドを簡単にスタイルカーテンに変えてしまうことに用いるのに適した簡易シェードカーテン生地を提供するものである。
【課題を解決するための手段】
【０００４】（１）ブラインド頭部と羽根にマジックテープ（登録商標）（以下マジックテープという）を備え、布、ビニール又は紙のカーテン生地にマジックテープを備え、このカーテン生地にフック又は係止ひもを備えこのカーテン生地をブラインド頭部と羽根に係止可能にし、ブラインドに取付けて用いる。
（２）マジックテープを備えたカーテン生地は、重ね合わせ可能とする。
【考案の効果】
【０００５】ブラインド頭部は、マジックテープが備えられるので、カーテン生地を係止することができる。羽根は、マジックテープ、フック、係止ひもが備えられ、係止されるので、カーテン生地を係止することができる。【０００６】マジックテープは、ブラインド頭部と羽根とカーテン生地に備えられ、結合され、接着することができる。ブラインド頭部と羽根にカーテン生地を係止することができる。【０００７】カーテン生地は、マジックテープ、フック、係止ひもが備えられ、結合され、接着され、係止されるので、ブラインド頭部と羽根に係止することができる。【０００８】フックはカーテン生地に備えられ羽根に係止することができる。【０００９】係止ひもは、カーテン生地に備えられ、羽根に係止することができる。【００１０】マジックテープが備えられたカーテン生地なので、重ね合わせが可能である。【００１１】以上のように、ブラインド頭部と羽根に前述のカーテン生地を係止できるので、係止して、ブラインドに取付けることができる。既製ブラインドを簡単にスタイルカーテンに変えてしまうことができる。カーテン生地を利用して既製ブラインドを簡単にスタイルカーテンに変えてしまうことに用いるのに適した簡易シェードカーテン生地である。既存のブラインドを短時間にスタイルカーテンに変えてしまうことができる。室内面を短時間で覆ってしまうことで室内の雰囲気をわずかな時間で替えることが出来る。又、室内冷暖房の省エネの効果、布を使用することで窓の結露防止効果がある。古くなったブラインドやブラインドの羽根が破損したり、羽根を調整するひもが切れて羽根角度調節が出来なくなったり、古くなりすぎ見た目に好ましくないブラインドを再利用することができる。カーテン生地にマジックテープ、フック、係止ひもをそなえることで、ブラインドの羽根の昇降によって生じる簡易シェードカーテン生地のたるみやウェーブの巾や膨らみを調節することができる。
【考案を実施するための最良の形態】
【００１２】以下、この考案の実施形態を図に表しながら説明する。【００１３】図１は、ブラインド頭部１と羽根２にマジックテープ３を備え、カーテン生地４にマジックテープ３を備えたカーテン生地４をブラインド頭部１と羽根２に係止可能にしブラインド本体５に取付けて用いる簡易シェードカーテン生地６とブラインド本体５の一部の正面を表している。羽根２は、マジックテープ３を備えて、カーテン生地４を係止している。操作用ひも７は、ブラインド頭部１に設置して、羽根２の昇降に使用される。操作棒８は、ブラインド頭部１に設置して、羽根２の回動に仕様される。【００１４】図２は、ブラインド頭部１と羽根２にマジックテープ３を備え、布、ビニール又は紙のカーテン生地４にマジックテープ３を備え、このカーテン生地をブラインド頭部１と羽根２に係止可能にし、ブラインド本体５に取付けて用いる簡易シェードカーテン生地６と羽根２が閉じたブラインド本体５の一側面の概観を表している。【００１５】図３は、ブラインド頭部１と羽根２にマジックテープ３を備え、布、ビニール又は紙のカーテン生地４にマジックテープ３を備え、このカーテン生地を用ブラインド頭部１と羽根２に係止可能にし、ブラインド本体５に取付けて用いる簡易シェードカーテン生地６と羽根２が開いたブラインド本体５の一側面の概観をあらわしている。【００１６】図４は、ブラインド頭部１と羽根２にマジックテープ３を備え、布、ビニール又は紙のカーテン生地にマジックテープ３とフック９を備え、このカーテン生地を用いてブラインド頭部１と羽根２に係止可能にし、ブラインド本体５に取付けて用いる簡易シェードカーテン生地６と羽根２が閉じたブラインド本体５の一側面の概観を表している。フック９は、カーテン生地４に備えて、羽根２に係止している。【００１７】図５は、ブラインド頭部１と羽根２にマジックテープ３を備え、布、ビニール又は紙のカーテン生地４にマジックテープ３とフック９を備え、このカーテン生地をブラインド頭部１と羽根２に係止可能にし、ブラインド本体５に取付けて用いる簡易シェードカーテン生地６と羽根２が開いたブラインド本体５の一側面の概観を表している。フック９は、カーテン生地４に備えて、羽根２に係止している。【００１８】図６は、カーテン生地４に係止ひも１０を備えた一側の概観を表している。【００１９】図７は、カーテン生地４に係止ひも１０を備えた一側を斜視した概観を表している。【００２０】図８は、カーテン生地４の基端側にマジックテープ３を備え、重ね合わせが可能であることを示した一側の概観を表している。
【図面の簡単な説明】
【００２１】
【図１】マジックテープを備えたカーテン生地を用いてブラインド本体に取付けた簡易シェードカーテン生地と羽根が閉じたブラインド本体の一側の一部の概観図である。
【図２】マジックテープを備えたカーテン生地を用いてブラインド本体に取付けた簡易シェードカーテン生地と羽根が閉じたブラインド本体の一側面の概観図である。
【図３】マジックテープを備えたカーテン生地を用いてブラインド本体に取付けた簡易シェードカーテン生地羽と羽根が開いたブラインド本体の一側面の概観図である。
【図４】マジックテープとフックを備えたカーテン生地を用いてブラインド本体に取付けた簡易シェードカーテン生地と羽根が閉じたブラインド本体の一側面の概観図である。
【図５】マジックテープとフックを備えたカーテン生地を用いてブラインド本体に取付けた簡易シェードカーテン生地と羽根が開いたブラインド本体の一側面の概観図である。
【図６】係止ひもを備えたカーテン生地の一側面の概観図である。
【図７】係止ひもを備えたカーテン生地を斜視した一側の概観図である。
【図８】マジックテープを備え、重ね合わせが可能であることを示したカーテン生地の一側の概観図である。
【符号の説明】
【００２２】１    ブラインド頭部
２    羽根
３    マジックテープ
４    カーテン生地
５    ブラインド本体
６    簡易シェードカーテン本体
７    操作用ひも
８    操作棒
９    フック
１０  係止ひも
【図１】
0003128924.tif 000002
【図２】
0003128924.tif 000003
【図３】
0003128924.tif 000004
【図４】
0003128924.tif 000005
【図５】
0003128924.tif 000006
【図６】
0003128924.tif 000007
【図７】
0003128924.tif 000008
【図８】
0003128924.tif 000009